(57)【要約】【課題】  従来技術では、忌避音が人に対して、騒音になり、しかも不自然な音であり、違和感があるものである。  本発明は、従来技術の課題を解決し、比較的に不快な音として感じない、しかも不自然な音でない、忌避音を見い出したものである。【解決手段】  忌避音として忌避させたい群れをなす鳥類が危険を感じて、一斉に飛び立つ最初の音を録音し、センサーで群れをなす鳥が所定領域に集まったことを検出するとそのセンサーからの信号で前記録音した音を発声器から発音させて群れをなす鳥を忌避させるようにした鳥飛来防止装置。【選択図】図１
2008283874.tif 000002
【特許請求の範囲】
【請求項１】
忌避音として忌避させたい群れをなす鳥類が危険を感じて、一斉に飛び立つ最初の音を録音し、センサーで群れをなす鳥が所定領域に集まったことを検出するとそのセンサーからの信号で前記録音した音を発声器から発音させて群れをなす鳥を忌避させるようにしたことを特徴とする鳥飛来防止装置。
【請求項２】
忌避音として忌避させたい群れをなす鳥類が危険を感じて、一斉に飛び立つ最初の音を録音し、この音を分析してその分析音に類似の周波数帯音を人工的に作り、この人工的に作った音を録音し、センサーで群れをなしている鳥が、所定領域に集まったことを検出すると、そのセンサーからの信号で、前記人工的に作った音を録音した発生器から発音させて群れをなす鳥を忌避させるようにしたことを特徴とする鳥飛来防止装置。
【請求項３】
忌避させる鳥を鳩としたことを特徴とする請求項１、または請求項２に記載の鳥飛来防止装置。
【発明の詳細な説明】
【技術分野】
【０００１】
本発明は、鳥飛来防止装置に関し、特に屋外施設の屋上や所定領域への鳥の飛来を防止する技術に関するものである。
【背景技術】
【０００２】
鳥達にとって、生きるために餌を探し、食べることが一番大事なことで、そこに餌があれば、先を争って食べる。これが鳥の本能である。
近年、マンション等のビル屋上、家屋の屋根、社寺や駅舎、工場、庭等、特に私達の生活の場である屋上、ベランダ等には天敵がいないことを良く知っていて、ここに例えば鳩が飛来し巣を作ることにより、鳩による糞害が急増している。この糞害により、施設の美観が損われたり、糞を媒介として種々の病気が発生するという問題があり、鳩は、アレルギーや重度の障害を引き起こすもの、又は死亡に至る危険性をもった病原菌や寄生虫を媒介するという問題がある。
従来例としては、鳥類が飛来するまで超音波放射部から周波数一定の超音波を放射すると共に、高輝度ビーム放射部から点滅する高輝度ビームを放射する。赤外線センサにより鳥類の飛来を検出するとコール放射部から所定の周期で、そのパターンをランダムに変えたディストレスコール・アラームコール及び天敵の叫びの擬音声のコールを放射させる一方、超音波も変化させる鳥類飛来防止装置（例えば、特許文献１参照）が存在している。
【特許文献１】特開２００２−１５９２５７公報（特許請求の範囲、発明の詳細な説明の欄、及び図１〜図３を参照）
【発明の開示】
【発明が解決しようとする課題】
【０００３】
前記従来技術では、忌避音が人に対して、騒音になり、しかも不自然な音であり、違和感があるものである。
本発明は、前記従来技術の課題を解決し、比較的に不快な音として感じない、しかも不自然な音でない、忌避音を見い出したものである。本発明はその場にいる群れをなす鳥（例えば鳩）の一斉に飛び立つ最初の羽音が忌避音として有効であることを種々研究した結果見い出したものである。
鳥には学習能力があるといわれている。これは危険な所と危険でない所を身をもって体験し、それを学んでしまうことであり、「鳥の学習」と表現されたりしているが、この鳥の学習を利用して、鳥の飛来をセンサーで検知すると忌避音を発し、これによって鳥は１〜数度の忌避音を聞くことで退散する結果となる。つまり、本発明は、この忌避音を効果的な方向に学習させることで鳥類の飛来を防止する鳥飛来防止装置を提供することを目的とするものである。
【課題を解決するための手段】
【０００４】
上記課題を解決するための本発明の第１発明は、請求項１に記載された通りの鳥飛来防止装置であり、次のようなものである。
忌避音として忌避させたい群れをなす鳥類が危険を感じて、一斉に飛び立つ最初の音を録音し、センサーで群れをなす鳥が所定領域に集まったことを検出するとそのセンサーからの信号で前記録音した音を発声器から発音させて群れをなす鳥を忌避させるようにする構成である。
【０００５】
上記課題を解決するための本発明の第２発明は、請求項２に記載された通りの鳥飛来防止装置であり、次のようなものである。
忌避音として忌避させたい群れをなす鳥類が危険を感じて、一斉に飛び立つ最初の音を録音し、この音を分析してその分析音に類似の周波数帯音を人工的に作り、この人工的に作った音を録音し、センサーで群れをなしている鳥が、所定領域に集まったことを検出すると、そのセンサーからの信号で、前記人工的に作った音を録音した発生器から発音させて群れをなす鳥を忌避させるようにする構成である。
【０００６】
上記課題を解決するための本発明の第３発明は、請求項３に記載された通りの鳥飛来防止装置であり、次のようなものである。
請求項１、または請求項２に記載の内、忌避させる鳥を鳩とする構成である。
【発明の効果】
【０００７】
本発明に係る鳥飛来防止装置は、上記説明のような構成であるので、以下に記載する効果を奏する。
（１）比較的に不快音として感じることのない、群れをなす鳥類が危険を感じて、一斉に飛び立つ最初の羽音を利用することを見い出し飛来防止を可能にすることができた。
（２）群れをなす鳩が危険を感じて一斉に飛び立つ、この時の音を収録して、１１種類録音し、この１〜１１の音の間隔は１０秒から最大６０秒でこの音源を流し、鳩の反応を見たら試験時間２時間内において、忌避率９９％と高い忌避性を示すことができた。
【発明を実施するための最良の形態】
【０００８】
忌避音として忌避させたい群れをなす鳥類が危険を感じて、一斉に飛び立つ最初の音を録音し、センサーで群れをなす鳥が所定領域に集まったことを検出するとそのセンサーからの信号で前記録音した音を発声器から発音させて群れをなす鳥を忌避させるようにした鳥飛来防止装置である。
【実施例】
【０００９】
以下、本発明の一実施例を添付図面で詳細に説明する。
図１は、本発明の具体的な実施例である鳩の忌避音を確認するために作製した試験現場の見取り図、図２は、本発明の鳩をおどすことによって一斉に飛び立つ時の音を使用してテストした時の実際の音源と、その音源前３０ｃｍの先に餌を撒き、鳩を集め、音源から危険を感じて一斉に飛び立つ時の最初の羽音を発信することで、鳩が警戒し、その後も餌を食べに集まらなくなったデータを取るための試験方法図である。
【００１０】
本発明は、人に不快感を与えず、しかも群れをなす鳥類の忌避性を確かなものをさがしていた。
そして、それは群れをなす鳥類は、仲間の羽ばたく時の音も警戒音として認識することを突き止め、これに基づいて試験で忌避性を確認した結果、鳥類の忌避性が高いことが判明したものである。
この群れをなす鳥類は、１羽が飛び立つと、条件反射のように他の鳥達も一斉に飛び立つ習性があり、その鳥が飛び立つ音は、鳥が飛んでいれば聞こえて当たり前の音であるので、人に対して騒音とは感じないので住宅街等でも使用が可能である。
これに対して、従来の忌避音は、二次的な問題として爆発音、悲鳴音、威嚇音等は人に不快感を与える音である。
【００１１】
先ず、本発明の鳩に対する忌避音の収録について説明する。
録音を、マイクの前に餌を撒き集まった鳩をおどすことによって一斉に飛び立つ、この時の「パタパタ」という音を収録した。なお、この音は微妙に異なり、１１種類の音を各３秒間録音し、この１〜１１種類の音を間隔１０秒から最大６０秒で収録した。
この収録した鳩の一斉に飛び立つ「パタパタ」という音を分析してみると、一つ目は、周波数０付近から超音波領域である２４０００Ｈｚ付近まで分布しているパルス的な「パタパタ」というもの。二つ目は、音圧が低く、７５０Ｈｚ付近の基本波と１５００Ｈｚ付近の第２高調波が強く記録されている「ヒョンヒョン」というものであった。
前記一つ目の「パタパタ」というものを人工的に作るものとしては、団扇で「パンパン」と叩く音、手で「パンパン」と叩く音とも接続時間は０．０１３〜０．０１８秒と同程度となっているが、その周波数成分の分布状況は異なっている。
団扇では、下方７００Ｈｚ〜２００００Ｈｚまで満遍なく分布しており、尾を引いている部分が４０００Ｈｚ付近となっている。
手では、１０００Ｈｚ以下に周波数成分は存在せず、１５００〜５０００Ｈｚに非常に強い周波数成分が分布しており、尾を引いている部分は２２００Ｈｚ付近となっている。
また、羽音では１０００〜２５００Ｈｚ付近の周波数成分が弱く、４０００〜１００００Ｈｚ付近の周波数成分は非常に強く、尾を引いている部分は４０００Ｈｚ付近となっている。
以上により、手では明らかに性質が異なっているが、団扇の周波数成分の内、特定の周波数帯を減衰させれば、羽音と非常に似た性質であるといえる。
また、「パタパタ」という羽音は１羽のものから各信号間の間隔を取ると、０．１２〜０．１５秒程度となっており、また団扇複数回の各信号間の間隔は０．０９〜０．１２秒程度と、羽音より若干短いが近い値を示している。
以上により、団扇の音を加工すれば擬似的な「パタパタ」という羽音を再現することが可能であることも見い出した。
また、「ヒョンヒョン」という羽音は、７５０Ｈｚと１５００Ｈｚ付近に周期的な周波数成分が確認できる。この周波数成分は約０．０７秒間に基本波で７００→８００Ｈｚ、第２高調波で１４００〜１６００Ｈｚと推移している周波数成分が０．１２〜０．１５秒間隔で記録された。
【００１２】
以上ように、「パタパタ」の音が忌避音としては有効であるが、これに「ヒョンヒョン」という羽音を複合型にすることでも同様に忌避音としての効果は奏されるものであることが判明した。
【００１３】
次に、鳩の一斉に飛び立った音声による忌避試験について試験結果を説明する。
試料としては、ドバトの羽ばたき音を各３秒間  １１種類録音し、１〜１１の音の間隔は１０秒から最大６０秒、録音は、マイクの前に餌を撒いて、集まったドバトをおどすことによって一斉に飛び立つ時の音を収録したものである。なお、微妙に音が異なる。
試験方法は、図２に示すように音源３の前（距離３０ｃｍ）に餌２を撒き、ドバトを集める。そして、試料の音源３（１〜１１種）を流し、ドバトの反応を見る。
この際、忌避反応個体（鳩）数（音源３を発信した時に飛び立つか、背を向けて逃げようとした個体の数）、無反応個体数（音源３を発信しても、そのまま餌２を食べ続けている個体、または食べるのをやめても逃げるに至らない個体数）、完全忌避個体数（音源３を発信することにより、警戒し、その後も餌２を食べに集まらなくなった個体の数）のデータを取ったものである。
この結果は、１回目（表１）の試験で、忌避反応率１００％を示したのは、２、４〜１１回目の音源であった。２回目（表２）は、１、４回目以降の音源が忌避反応率１００％を示した。
よって、４〜１１回目の音源については１００％の忌避反応を示した。忌避率１００％は、１、２回目の試験とも９回目以降であった。
【表１】
2008283874.tif 000003
【表２】
2008283874.tif 000004
【００１４】
以上の分析結果は、日本音響研究所によって分析して頂いた結果報告に基づくものである。
【００１５】
以上、全体的に考察してみると、ドバトの羽ばたき音を発信することにより、近くのドバトは一斉に飛び立つことから、一種の警戒音である可能性が高いことを見つけた。音の種類、音量等により変化が見られることから、今後、多くの音源を分析し、他のディストレスコール等を合成し、忌避音として開発が可能と考える。また、学習効果によって忌避率１００％も可能なことから、ドバトの学習力を探る必要がある。
今後は、他の音（拍手、団扇のパタパタ音等）での反応を確認する必要がある。
【００１６】
ここで、前記のような忌避音を利用してどのように鳩の飛来を防止するのか、さらに詳しく説明すると、図１に示すように、忌避音発声器１の前方２ｍの位置に餌２を撒き、飛来してきた鳩にセンサーが反応し、この検出信号により忌避音発声器１から忌避音をスピーカーから発生させる。
こうすることにより、２時間内において、忌避率９９％と大変高い忌避率になることが確認できた。
すなわち、この鳩が一斉に飛び立つ時に出る「パタパタ」という音が鳩の忌避音として有効であることを見い出したものである。
なお、センサーは鳩が飛来したことを検知して忌避音発声器１を作動させる信号を送れるものであれば、各種のセンサー（赤外線センサー等）が採用できるものである。
【００１７】
次に、他の鳥に対しての分析結果を示す。
カラスの場合、羽ばたきは、１０００Ｈｚ付近をピークに１８０００Ｈｚ付近までなだらかに減衰する。しかも、カラスは羽ばたき音が始まってから約１．３秒後に鳴き声が確認できた。
スズメの場合は、羽ばたき音が確認される直前にはっきりとした鳴き声が確認でき、羽ばたき音は１２０００Ｈｚ付近をピークに周波数的に上下に減衰している。
ムクドリの場合、羽ばたき音が始まってから約１．１秒後から鳴き声が確認でき、ピークが３５００Ｈｚ付近と異なってはいるが、カラスの周波数成分の分布特徴が似ている。
なお、ムクドリの場合、羽ばたき音の音圧レベルは、カラス及びスズメと比較して小さかったため、３倍に増幅して確認を行ったものである。
以上より、カラス、ムクドリは羽ばたき音の特徴が似ていることと、羽ばたき始めて１秒以上経過したところで鳴き声が確認できるといった点が共通しており、スズメは前者２種とは異なった特徴がある。
【００１８】
以上の分析結果は、日本音響研究所によって分析して頂いた結果報告に基づくものである。
【産業上の利用可能性】
【００１９】
鳩、カラス、スズメ、ムクドリだけでなく、特に群れをなす各種鳥類にも応用することが可能である。
【図面の簡単な説明】
【００２０】
【図１】本発明の鳩飛来防止装置の試験の状態を示す概略平面図である。
【図２】本発明の鳩飛来防止装置の一斉に飛び立つ時に出る音を録音する状態を示す概略平面図である。
【符号の説明】
【００２１】
１・・・・忌避音発声器                    ２・・・・餌
３・・・・音源
【図１】
2008283874.tif 000005
【図２】
2008283874.tif 000006